(57)【要約】      （修正有）【課題】ビデオ番組の見逃した部分を容易に視聴することができるようにする。【解決手段】受信番組の入力信号の一部を貯え、かつ貯えられた情報にアクセスして、時間圧縮された番組の一部を表す信号成分を発生する。再生の間、時間圧縮された信号は出力信号中に含まれる。再生が完了すると、出力信号中の再生信号成分は、元の入力ビデオ信号を表す信号成分と取り替えられる。再生信号は、ＰＩＰあるいはＰＯＰ等の多画像ディスプレイの補助画像に表示され、主画像は入力ビデオ信号を表示する。再生の間、時間圧縮された新しい情報が貯えられる。再生は、新しいデータが貯えられる速度よりも早い速度で起こり、その結果、再生中に発生される「過去の」信号と、受信された信号（元の入力ビデオ信号）が時間的に一致する時点が生じる。この時点が検出されると、補助画像は自動的に除去され、出力信号は、受信された番組の信号に戻される。【選択図】図１
2010148145.tif 000002
【特許請求の範囲】
【請求項１】
ビデオ番組を表す受信されたビデオ信号を処理する方法であって、
第１の信号成分を発生するために第１の期間中に生じるビデオ番組の一部を表すディジタル・データを処理するステップであって、該第１の信号成分が時間的に圧縮されたビデオ信号の一部を表す、前記ステップと、
第２の期間中に前記第１の信号成分を有する出力信号を発生するステップと、
前記第２の期間の終了時に、前記出力信号中の第１の信号成分を、入力ビデオ信号を表す第２の信号成分と取り替えるステップと、
を含み、
前記取り替えるステップが、
前記入力ビデオ信号に生じるビデオ情報のフィールドを計数するステップと、
ビデオ情報のフィールドの計数値が所定の計数値と一致するときを確定するステップと、
ビデオ情報のフィールドの計数値が所定の計数値と一致すると、第１の信号成分を出力信号から分離し、そして第２の信号成分を出力信号に結合させるステップと、を含む、前記方法。
【請求項２】
前記ディジタル・データを処理するステップが、
前記ビデオ番組の一部に含まれるビデオ情報の複数のフィールドを表すディジタル・データを受信するステップと、
ビデオ情報の複数のフィールドの一部を第１の速度でメモリに記憶するステップと、
ビデオ情報の前記記憶された複数のフィールドの一部を第２の速度でメモリから読み出すステップと、
前記メモリから読み出されたビデオ情報のフィールドを処理して、前記第１の信号成分を発生するステップと、
を含む、請求項１記載の方法。
【請求項３】
ビデオ番組を表す受信されたビデオ信号を処理する装置であって、
第１の信号成分を発生するために第１の期間中に生じるビデオ番組の一部を表すディジタル・データを処理する手段であって、該第１の信号成分が時間的に圧縮されたビデオ信号の一部を表す、前記手段と、
第２の期間中に前記第１の信号成分を有する出力信号を発生し、そして、該第２の期間の終了時に、前記出力信号中の第１の信号成分を、入力ビデオ信号を表す第２の信号成分と取り替える手段と、
前記第２の期間の終了を検出する手段と、
を備え、
前記取り替える手段が、
前記入力ビデオ信号に生じるビデオ情報のフィールドを計数する手段と、
ビデオ情報のフィールドの計数値が所定の計数値と一致するときを確定する手段と、
ビデオ情報のフィールドの計数値が所定の計数値と一致すると、第１の信号成分を出力信号から分離し、そして第２の信号成分を出力信号に結合させる手段と、
を含む、前記装置。
【請求項４】
前記ディジタル・データを処理する手段が、
前記ビデオ番組の一部に含まれるビデオ情報の複数のフィールドを表すディジタル・データを受信する手段と、
ビデオ情報の複数のフィールドの一部を第１の速度でメモリに記憶する手段と、
ビデオ情報の前記記憶された複数のフィールドの一部を第２の速度でメモリから読み出す手段と、
前記メモリから読み出されたビデオ情報のフィールドを処理して、前記第１の信号成分を発生する手段と、
を備える、請求項３記載の装置。
【発明の詳細な説明】
【技術分野】
【０００１】
本発明は、テレビジョン受像機（ディスプレイのあるものまたはないもの）のようなオーディオ・ビデオ・システムおよびディジタル衛星受信器のようなセットトップ・ボックスにおいてディジタル信号を処理することに関する。
【背景技術】
【０００２】
例えば、ビデオカセットレコーダ（ＶＣＲ）を使用するオーディオ／ビデオ信号の記録は一般に行われている。記録は、番組をあとで都合のよいときに見たい視聴者の役に立つ。記録を再生するとき、視聴者は見たい番組の部分を選択することができ、また、掛かってきた電話に出るために、いつでも再生を中断することもできる。しかしながら、受信中の番組を見ているとき、視聴者は番組を中断することはできない。誰かと話しをしていたり部屋を離れたりすると、視聴者は衛星放送のプロバイダやテレビの放送局あるいはケーブルテレビのソースからのような「リアルタイム」で受信中の（すなわち、ビデオテープに録画されていない）番組を一部見ることができない。
【発明の概要】
【０００３】
前述の問題を解決するために提供される、ビデオ番組を表す受信されたビデオ信号を処理する方法は、第１の信号成分を発生するために第１の期間中に生じるビデオ番組の一部を表すディジタル・データを処理するステップであって、該第１の信号成分が時間的に圧縮されたビデオ信号の一部を表す、上記ステップと、第２の期間中に上記第１の信号成分を有する出力信号を発生するステップと、上記第２の期間の終了時に、上記出力信号中の第１の信号成分を、入力ビデオ信号を表す第２の信号成分と取り替えるステップと、を含む。
【０００４】
本発明の特徴に従い、再生動作モードの間、第１の信号成分は出力信号中に含まれ、再生モードの間、時間圧縮された新しい情報が貯えられ続ける。再生モードの間、時間圧縮された情報は、新しいデータが貯えられる速度より早い速度で出力される。出力されているデータが、貯えられているデータと同じになる時点は、第２の期間の終了を示すものとして検出され、第１の信号成分は、第２の期間の終了が検出されるとそれに応答して、出力信号中の第２の信号成分と自動的に取り替えられる。
【０００５】
本発明は、多画像表示モードの間に多画像を表す出力信号を発生するシステムで実施される。出力信号は、第１と第２の画像領域を同時に表示する表示装置に結合するのに適している。第１の信号成分は第１の画像領域に表示され、第２の信号成分は第２の画像領域に表示される。再生モードが起動されると、多画像表示モードが自動的に起動され、多画像表示モードは、第２の期間が終了すると自動的に終了する。
【０００６】
本発明の別の特徴では、再生モードの起動に応答して、表示特性（ｄｉｓｐｌａｙ  ｃｈａｒａｃｔｅｒｉｓｔｉｃｓ）を自動的に変更する。
本発明は、詳細な説明および以下の図面を参照することにより、一層よく理解される。
【図面の簡単な説明】
【０００７】
【図１】図１は、本発明の特徴を組み込んでいるオーディオ／ビデオ信号処理システムをブロック図で示す。
【図２】図２は、図１のシステムのビデオ信号処理部の実施例をブロック図で示す。
【図３】図３は、図２に示すシステムの動作を理解するのに役立つ、信号のタイミング図である。
【図４】図４は、図２に示すシステムの動作を理解するのに役立つ、信号のタイミング図である。
【図５】図５は、図２に示すシステムの動作を理解するのに役立つ、信号のタイミング図である。
【図６】図６は、図１に示すシステムのビデオ信号処理部の別の実施例をブロック図で示す。
【図７】図７は、図１に示すシステムのオーディオ信号処理部の実施例を示す。
【発明を実施するための形態】
【０００８】
図１は、再生機能（本願明細書では、「現在に戻る」機能と称す）を実行する本発明の特徴を組み込んでいるシステムのブロック図である。図において、比較的太い信号ラインは、多ビット並列ディジタル信号を伝達するバスを表し、比較的細い信号ラインは、１ビットの制御信号またはアナログ信号を伝達する接続ラインを表す。図１で、ビデオ入力信号とオーディオ入力信号、それぞれ「ディジタル・ビデオ・データ」と「ディジタル・オーディオ・データ」は、最初にそれぞれのデータ縮小回路１０と１１で処理される。ビデオおよびオーディオ・データ縮小方法は当業者に知られているので、ここでは説明しない。例えば、ＭＰＥＧ符号化は、よく知られているデータ縮小（すなわち、データ圧縮）方法の１つである。入力信号のうちどれか１つが既に圧縮されていれば、例えば、或る入力信号がＭＰＥＧ符号化されていれば、それに対応するデータ縮小関数は必要とされない。
【０００９】
各データ縮小回路はそのあとに、データ時間圧縮回路１２または１３を伴う。時間圧縮回路は、例えば、データの一部を捨てて、データ・レート（ｄａｔａ  ｒａｔｅ）を低下させる。時間圧縮率「Ｆ」は以下のように定義される：
Ｆ＝出力信号のデータ・レート／入力信号のデータ・レート（ここでＦ<１）
【００１０】
時間圧縮後に、ビデオ・データとオーディオ・データは、ＦＩＦＯ（ｆｉｒｓｔ‐ｉｎ‐ｆｉｒｓｔ‐ｏｕｔ）メモリとして構成されるそれぞれのメモリ１４と１５内に貯えられる。図２に２つのメモリが示されているが、１つのメモリでオーディオ信号とビデオ信号の両方を貯えることができる。再生時間は、貯えられたデータの量、従ってメモリの大きさに依って異なる。メモリの大きさに依り、再生時間は数秒〜数分である。ビデオ・メモリ１４は、Ｍ個のビデオ・フィールドを貯えるのに十分な容量を有する。ＰＡＬおよびＮＴＳＣ標準を仮定すると、１ビデオ・フィールドは垂直偏向周波数に相当する。すなわち、１ビデオ・フィールドは２０ｍｓまたは１６．６８３ｍｓ毎に起こる。他のディジタル・システム、例えば、ＭＰＥＧシステムでは、１フィールドはこれと異なる方法で定義される。例えば、ＭＰＥＧ符号化された信号の１フィールドは、所定の数のＭＰＥＧ符号化されたディジタル・データ・パケットに相当する。
【００１１】
オーディオ・メモリとビデオ・メモリの出力はそれぞれオーディオ・スイッチ１６とビデオ・スイッチ１７の入力「Ｂ」に結合される。また、各スイッチの入力Ｂは、「過去の」入力と称され、それに結合される信号が過去のビデオ番組またはオーディオ番組を表す（すなわち、この信号が貯えられた情報を表す）ことを示している。元のオーディオ入力信号とビデオ入力信号はそれぞれのスイッチの入力「Ａ」に結合される。また、入力Ａは、「現在の」入力と称され、それに結合される信号が現在のビデオ番組またはオーディオ番組（すなわち、貯えられていない番組）を表すことを示している。両スイッチはフィールド・カウンタ（計数器）の出力信号である「セレクトＡ／Ｂ」信号によって制御される。この計数器の入力信号は「プレイバック」および「フィールド・レート・クロック」である。通常、「セレクトＡ／Ｂ」信号は、第１の論理レベル（例えば、０レベル）にあって、入力「Ａ」における「現在の」信号を選択する。使用者は、「過去の」ビデオの再生を望むとき、例えば、リモコンの「プレイバック」キーを押して、「現在に戻る」機能を起動する。この再生機能の起動により、再生信号がフィールド計数器１８の入力に生じ、第１の論理レベル（例えば、低い論理“０”レベル）から第２の論理レベル（例えば、高い論理“１”レベル）に変化する。この論理レベルの変化により、計数器はフィールド・レート・クロックに等しい速度で計数し始める。同時に、出力信号「セレクトＡ／Ｂ」は第２の論理レベル（例えば、論理“１”レベル）に変化し、入力Ｂにおいて「過去の」信号が選択される。
【００１２】
再生時間（Ｔｐｌａｙｂａｃｋ）後に、計数器１８はリセットされ、その出力信号「セレクトＡ／Ｂ」は再び第１の論理レベル（例えば、論理“０”レベル）になり、入力「Ａ」において、受信された元の信号（すなわち「現在の」信号）が選択される。計数時間“Ｔｐｌａｙｂａｃｋ”は以下の式より求められる：
Ｔｐｌａｙｂａｃｋ  ＝（Ｍ／１−Ｆ）・Ｔｆｉｅｌｄ
ここで、Ｔｆｉｅｌｄはフィールド周期である。ＰＡＬ方式の場合、Ｔｆｉｅｌｄは２０ｍｓ、ＮＴＳＣ方式の場合、Ｔｆｉｅｌｄは１６．６８３ｍｓである。再生時間は、ビデオ再生シーケンス「過去」が、受信された信号「現在」と丁度一致する瞬間に終了する。以下の実施例により、上述したシステムの動作が更に説明される。
【００１３】
図２は、図１に示すシステムの一部の実施例を更に詳細に示す。図２に示すシステムは、多画像の特徴を備えるテレビジョン受像機の一部である。すなわち、図２のシステムは、主画像を表す第１の信号成分、および第２の画像すなわち補助画像（副画像）を表す第２の信号成分を有する出力信号を発生することができる。図２に示す実施例は、補助画像は主画像の中に挿入される小画像であるピクチャ・イン・ピクチャ（ＰＩＰ）システムに関するものである。本発明を組み込んでいる図２に示す以外の実施例も可能である。例えば、本発明は、補助画像が主画像の外側に（例えば、主画像の側に）表示されるピクチャ・アウトサイド・ピクチャ（ＰＯＰ）システムにも応用できる。また、図２の実施例は、多画像の特徴を実施するために２個のチューナ２１と２２を備えている。しかしながら、本発明は、図６に示すシステムのような単一チューナのシステムに、あるいは図２に示すシステムと同様なシステムであって、第２のビデオ信号がシステム内にある第２のチューナ以外のチューナから、例えば、ＶＣＲのような外部の装置内にあるチューナから受信されるシステムにも応用できる。
【００１４】
図２で、チューナ２１は主信号を受信し、チューナ２２は、補助画像すなわちＰＩＰ画像を表す信号成分を発生するのに使用される第２の信号を受信する。本発明の特徴に従い、図２に示すような実施例において、第２のチューナ（すなわち、チューナ２２）の出力を使用して、再生用に貯えられる信号が供給される。ＰＩＰウインドウがスクリーンに表示されていない間、チューナ２２はチューナ２１と同じチャンネルに自動的に同調される。このため、再生用に貯えられた番組と、視聴者が主画像で見る番組（すなわち、チューナ２１の出力）とは同じものとなる。
【００１５】
復調され且つアナログ／ディジタル変換されたＰＩＰビデオ・データは、ＰＩＰの特徴の一部として既にシステム内に含まれているデータ縮小回路２３に結合される。データ縮小回路２３の出力信号は、３２ＭＢ‐ＤＲＡＭモジュール２４の２方向性データ入力／出力“Ｄ０．．．Ｄ７”に結合され、且つ３‐状態バッファ２５の入力に結合され、更に３‐状態ラッチ２６の入力に結合される。この３２ＭＢメモリは費用効率が高いモジュールで、コンピュータに広く使用されており、４ＭＢ‐ＤＲＡＭが８個並列に接続されている。
【００１６】
制御回路２７の入力における「プレイバック」信号は通常、第１の論理レベル（例えば、低レベルすなわち論理“０”）にあり、再生がディスエーブル（動作不能に）されていることを示す。一方、フリップ‐フロップの「現在の」出力信号と「過去の」出力信号はそれぞれ、高い論理レベル“１”と低い論理レベル“０”にあり、バッファ２５の出力はイネーブル（動作可能に）されて、「現在の」信号を選択し、ラッチ２６の出力はディスエーブルされて、「過去の」信号を選択しないことを示す。すなわち、３‐状態バッファは作動しており、３‐状態ラッチは高インピーダンス状態において作動していない。従って、３‐状態バッファと３‐状態ラッチの共通の出力である、節点（ｎｏｄｅ）「Ａ」におけるビデオ・データは、受信された「現在の」ＰＩＰ信号である。しかしながら、節点Ａにおけるビデオ・データ信号は、非再生モードの間、スクリーンに表示されない。何故なら、「現在の」ＰＩＰ信号は主画像と同じ（ＰＩＰ信号のデータ縮小を除く）ビデオ番組を表しており、従って、主画像と実質的に同じＰＩＰ画像の表示は必要でない。
【００１７】
視聴者が、例えば、リモコンの「プレイバック」キーを押して再生モードを起動すると、制御回路２７の入力における「プレイバック」信号は状態を、例えば、高い“１”レベルのような第２の論理レベルに変化させる。その結果、制御回路の出力における２つのトリガ・パルス信号「フィールド・カウンタ・イネーブル」と「セット」は、フィールド計数器２８とフリップ・フロップ２９をトリガする。それに応答して、フィールド計数器２８は計数し始め、フリップ‐フロップはセットされ、フリップ‐フロップの「現在の」および「過去の」出力信号は状態を、例えば、低い“０”レベルと高い“１”レベルにそれぞれ変える。このため、３‐状態バッファは高インピーダンスの状態で作動しなくなり、３‐状態ラッチは作動するようになる。この場合、３‐状態バッファと３‐状態ラッチの共通出力におけるデータは、貯えられた「過去の」ＰＩＰ信号であり、これは、ＰＩＰウインドウの形式でスクリーンに自動的に表示され再生される。ラッチの出力信号は、メモリの読出しサイクルの間に起こるラッチ・クロックの立上がりエッジに同期している。
【００１８】
フィールド計数器２８は、入力ビデオ信号に生じるフィールド期間を計数して、再生期間の持続時間を定める。計数器より生じる計数値により、再生時間“Ｔｐｌａｙｂａｃｋ”に相当する所定数のフィールド期間が生じたことが示されると、計数器はフリップ‐フロップをリセットし、それにより、「現在の」および「過去の」制御信号はその論理レベルを高い“１”レベルと低い“０”レベルにそれぞれ変えて、再生期間が終了したことを示す。「過去の」および「現在の」信号レベルの変化によって示される再生期間の終了が検出されると、このシステムは自動的に非再生モードに変わり、受信された「現在の」データは再び３‐状態バッファの出力に現れる。同時に、ＰＩＰ表示は自動的にディスエーブルされ、ＰＩＰウインドウはスクリーンから自動的に消え、主画像のみの表示となる。
【００１９】
ＤＲＡＭモジュール２４にアドレスするため使用されるアドレス・カウンタ（計数器）は３個ある。これらのカウンタは：出力（Ａ０．．Ａ２１）Ｗを備える２２ビット書込みアドレス・カウンタ２０１；出力（Ａ０．．Ａ２１）Ｒを備える２２ビット読出しアドレス・カウンタ２０２；・および出力（Ａ０．．Ａ１０）ＲＥを備える１１ビット・リフレッシュ・アドレス・カウンタ２０３である。４ＭＢにアドレスするのに２２ビット必要である。ＤＲＡＭが有するアドレス入力は１１だけなので、アドレス・カウンタを多重しなければならない。アドレス・マルチプレクサ２０４は、「セレクトＡ］信号と「セレクトＢ］信号によって制御される。また、図２に典型的なＤＲＡＭ制御信号が示されている：ＷＥ、ＲＡＳ０、ＲＡＳ１、ＲＡＳ２、ＲＡＳ３、ＣＡＳ０、ＣＡＳ１、ＣＡＳ２、ＣＡ３。制御回路の入力におけるマスタ・クロックの周波数は１７．７３４４  ＭＨｚであり、これはＰＡＬ色副搬送波周波数の４倍（１７．７３４４  ＭＨｚ  ＝  ４  ｘ  ４．４３３６  ＭＨｚ）である。このクロック周波数は、ＩＴＴ社が製作した「ＰＩＰ２２５０型ピクチャ・イン・ピクチャ・プロセッサ」のような、ＰＩＰプロセッサに使用されている。
【００２０】
読出しアドレス・カウンタ２０２はプログラム可能なカウンタである。すなわち、出力は何れかのレベルに同期的にプリセットされる。カウンタ２０２の負荷出力における低レベルはカウンタをディスエーブルし、カウンタの出力は、次のクロック・パルスの後に、プリセット値（「セットアップ・データ」信号）になる。「セットアップ・データ」信号のプリセト値は書込みアドレス・カウンタ２０１の出力において発生される。再生時間“Ｔｐｌａｙｂａｃｋ”の始めに、読出しアドレス・カウンタ２０２の入力における負荷制御信号「ロード」は、論理レベル（例えば、低レベル）に変わり、プリセット動作をイネーブルする。この時点で、書込みアドレス・カウンタの出力における現在のアドレスが「Ｎ」と仮定して、読出しアドレス・カウンタのプリセット・アドレスは次のクロック・パルスで起こり、「Ｎ＋１」になる。読出しサイクルは、書込みサイクルの前に起こるので、アドレス「Ｎ＋１」から読み出されるデータは、メモリ内に貯えられている「最も古い」ビデオ情報である。このデータは再生信号のスタートになる。
【００２１】
本発明の別の特徴に従い、また、図２に示すシステムは、再生モードの間、視聴者の注意を再生信号の表示に集中させる。具体的に、図２に示すシステムは装置２９０、２９１、２９２、２９３を備え、再生表示強調を特徴とする。この特徴および装置２９０〜２９３の動作については以下に詳しく説明する。
【００２２】
図３は、ビデオ信号の時間圧縮が実現される様子を信号波形で示す。この実施例で、１つおきのビデオ・フィールドがメモリに貯えられる（書き込まれる）。すなわち、２フィールドのうち１つは無視される（Ｆ＝１／２）。他の圧縮率、例えば、３フィールドのうち２フィールドを書き込むＦ＝２／３、６フィールドのうち４フィールドを書き込むＦ＝４／６、も可能である。図３で、書込みイネーブル信号は１フィールドおきに起動され、読出しイネーブル信号は毎フィールド起動される（図２も参照のこと）。圧縮率Ｆ＝１／２の場合、結果として生じる「貯えられた」ＰＩＰ信号は元の信号より２倍早い。図３から分かるように、６４本のＰＩＰラインが１フィールドおきに貯えられ、各ラインは１２８個のサンプルを含んでいる。これらの数字は可能な値を示しているにすぎず、他の値も使用できる。ビデオ信号の有効部分だけが貯えられる。すなわち、同期信号は貯えられない。圧縮により貯えられるデータは、ビデオ番組の一部を包含する第１の期間中に受信された信号内にあるそのビデオ番組の一部を表している。時間圧縮されたデータは、再生期間である第２の期間に出力される。
【００２３】
図４は、書込みアドレス・カウンタの書込みクロックを信号波形で示す。１ビデオ・ラインにつき１６のアドレス・サイクルがある。ＤＲＡＭの並列ブロックが８個あるので、同じアドレスを使用して、８個のブロックに８個のサンプルを貯える。このようにして、１ラインにつきサンプルの総数は１２８サンプル（８ｘ１６）となる。リフレッシュ・クロックは、書込みおよび読出しクロックとは無関係であり、有利なことに、ずっと早くなる。
【００２４】
図５は、８つの読出し／書込みサイクルを波形で示す。図５に示すＤＲＡＭ制御信号は、当業者によく知られている典型的なＤＲＡＭ制御信号である。注目すべきことに、本発明の特徴に従って、メモリ読出しサイクルはメモリ書込みサイクルの前に起こらなければならない。すなわち、過去のデータが最初に読み出されてから、それに現在のデータを上書きする。
【００２５】
図６は、本発明を組み込んでいるが、図２に示すような多画像の特徴を備えていない装置の実施例のブロック図である。図６に示す特徴は、図２に同じ番号で示すものと同様なものであるので、ここでは詳しく説明しない。図６のシステムでは、「過去」のビデオの再生を表示する補助画像の「ウインドウ（ｗｉｎｄｏｗ）」を生じないので、受信された「現在」の画像は再生の間スクリーンから消えて、代りに、「過去」のビデオ画像が現れる。再生時間Ｔｐｌａｙｂａｃｋ後に、元の（最初の、ｏｒｉｇｉｎａｌ）ビデオ画像が再び現れる。
【００２６】
図６に示すシステムで発生されるのは主画像だけで、これは再生モードの間の再生画像なので、再生中に現在の信号に関連する画像を見ることはできない。従って、再生の間、使用者は現在の信号に起こる番組の部分を見そこなうであろう。しかしながら、本発明の特徴では、再生の間、時間圧縮されたデータを貯え続けるので、この問題は解決される。すなわち、再生が起こっている間、時間圧縮された新しいデータは、データが既にそこから再生されている（読出し動作）記憶場所に貯えられている（書込み動作）。再生は、新しいデータが貯えられる速度よりも早い速度で起こる。すなわち、再生信号を発生するメモリの読出し動作の速度は、再生の間に新しいデータを貯えるメモリの書込み動作の速度よりも早い。従って結局、再生は、再生の間に貯えられている新しいデータに追いつき、ついに、今記録されたばかりのデータがただちに再生されるようになる。この時点で、再生は現在に到達し、「現在に戻って」いる。上述のように、システムはフィールド計数器を使用してこの時点を検出して、再生動作を自動的に取り消し、現在の信号の表示を再開する。圧縮されたデータの蓄積は第１の期間に起こり、圧縮されたデータの再生（読出し）は第２の期間に起こる。それは第２の期間の終了、すなわち、再生の終了であり、「現在に戻る」状態を示している。
【００２７】
上述した問題は図２に示すシステムには存在しない。何故なら、再生は補助画像に現れ、現在の信号は主画像に表示されるからである。使用者は再生の間、現在の信号を見ており、番組の各部分を見損なうことはない。従って、再生の間、データを貯え続けることは、図２のシステムに必要でない。しかしながら、再生の間データを貯え続けることは図２のシステムでは有利である。例えば、図２のシステムでこの特徴を実施することにより、ＰＩＰ画像は、再生の終了時に、主画像と同じになり、ＰＩＰ画像は再生モードの終了により自動的に除去される。その上、再生モードの間、過去の信号（小画像）の音声信号は働いている（出力されている）ので、視聴者が２つの異なるビデオ信号を見るのは紛らわしいかもしれない。
【００２８】
本発明の別の特徴では、再生の間、再生信号に応答して発生される画像、例えば、図２のシステムで発生される補助画像に視聴者の注意を集中させる。これは種々の方法を使用して行うことができる。例えば、表示される現在の信号（例えば、図２のシステムで発生される主画像）の色はシフトすることができ、現在の信号は白黒で表示することができ、表示される現在の信号のコントラストおよび／または輝度は、再生信号に対して低下させることができ、表示される再生信号のコントラストおよび／または輝度は現在の信号に対して増大され、あるいはこれらの技法の組合せを使用することもできる。再生時間の終わりに、元の表示特性（ｏｒｉｇｉｎａｌ  ｄｉｓｐｌａｙ  ｃｈａｒａｃｔｅｒｉｓｔｉｃｓ）はリセットされる。
【００２９】
本発明の特徴とする再生信号強調の実施例は、図２に示すシステムに備えられている。具体的に、現在の表示および過去の表示について画像の制御特性を表すデータ（例えば、色、コントラスト、および輝度のパラメータ）は制御装置２９０と２９１にそれぞれ貯えられる。これらの制御特性は、選択器またはＭＵＸ２９２を通って、表示制御装置２９３に結合される。ＭＵＸ２９２はフリップ‐フロップ２９から「現在の（ｐｒｅｓｅｎｔ）」信号によって制御される。従って、再生モードが働いていない（「現在の」信号が論理１である）とき、ＭＵＸ２９２は装置２９０の出力を装置２９３の制御入力に結合させる。その結果、現在の（すなわち、主画像の）表示について正常の画像制御特性を使用して、主画像を制御し発生する。従って、主画像はその「正常の」特性（色、輝度、コントラスト）を呈する。再生モードが働いている（「現在の」信号が論理０である）ならば、ＭＵＸ２９２は装置２９１の出力を装置２９３の制御入力に結合させるので、表示制御器は、再生の間、現在の画像信号を「過去」のモードの表示パラメータに従って変更する。例えば、再生モードが起動されているとき、装置２９１内に貯えられたデータによって、表示制御装置２９３は主（すなわち現在の）信号の色を変え、信号を白黒に変え、コントラストを低下させ、輝度を低下させ、あるいはこれらの変更を組み合せる。従って、現在の信号は強調を減じられる。これは、事実上、再生表示を強調させるので、視聴者の注意は再生表示に集中される。再生が終わると、現在の信号の表示は正常に戻る。
【００３０】
本発明の特徴とする再生信号の強調は種々の変更が可能である。例えば、図２に示す表示制御装置２９３は主画像を変更するために主（現在の（ｐｒｅｓｅｎｔ））画像信号処理経路にあるが、同様な特徴を、ＰＩＰ（過去の（ｐａｓｔ））画像を変更するためにＰＩＰ（過去の）ビデオ信号経路に備えることもできる。すなわち、再生モードが働いているとき、過去の画像を強調する（例えば、輝度および／またはコントラストを増大する）ことができ、それにより、再生の表示を強調する。また、装置２９３のような表示制御装置は、現在および過去の信号経路のどちらかまたは両方に備えられて、過去および現在の画像の表示特性を個別にまたは同時に制御することもできる。また、再生画像を強調する他の方法を使用することもできる。例えば、図２に示すような多画像表示システムでは、上述したように、補助画像に表示される再生画像は、代りに、主画像に表示することもできる。すなわち、主画像と補助画像の「交換（ｓｗａｐ）」は、この再生の特徴が起動するとそれに応答して起こる。再生の特徴が終了すると、再び「交換」が起こり、現在の信号を元の主画像の表示に戻す。
【００３１】
図７は、「現在に戻る」機能に従ってオーディオ信号を処理する実施例を示す。図７に示すシステムは、再生モードの間に出力される時間圧縮されたオーディオ情報を発生し貯える。オーディオ情報を圧縮すると、そのオーディオ情報が分からなくなると思われるかもしれないが、再生の間オーディオ情報を出力する１つの主要な目的は、再生期間中に生じた話しを視聴者に与えることである。話しは連続的なものではない。すなわち、話しには途切れがあるので、圧縮はこの途切れを利用して、話し情報の大部分を保持し、話しの分かり易さを維持することができる。図７では、オーディオ信号がディジタルの形式で得られないと仮定されている。アナログのオーディオ信号は最初、カットオフ周波数１０ｋＨｚを有する低域フィルタ７１に加えられる。次に信号は、自動利得制御される増幅器７２に結合され、増幅器７２はオーディオ信号の振幅を、あとに続くＡ／Ｄ変換器７３のために有効な電圧の範囲内に保つ。Ａ／Ｄ変換器のサンプリング・クロックは２２ｋＨｚに選ばれる。Ａ／Ｄ変換器の出力信号はデータ縮小回路７２３に加えられ、それから図７に示すメモリ７２４、制御回路７２７、メモリ・アドレス制御装置７２０１、７２０２、７２０３、７２０４を使用して、ビデオ信号と同様に処理される。図７に示すように、オーディオ処理に必要とされるＤＲＡＭの大きさは２ＭＢである。このオーディオ・メモリの大きさは、以下の例で示すように計算される。再生オーディオ・ディジタル情報は、Ｄ／Ａ変換器７４を使用して、アナログ信号の「過去のオーディオ信号」に変換される。アナログ・スイッチ７５は、「過去／現在」信号に応答して現在または過去のオーディオ・アナログ信号を選択的に出力する。図７の信号「過去／現在」はビデオ・チャンネルで発生される信号と同じ信号である。
【００３２】
以下の実例は、上述したシステムの動作を説明する。この実例は、図２に示す実施例に関するもので、ＰＡＬ標準の信号を仮定する。
【００３３】
［ビデオ信号の処理］
１．圧縮率
Ｆ＝（毎秒書き込まれるフィールド数／毎秒読み出されるフィールド数）
＝２５／５０
＝  １／２
２．３２ＭＢ‐ＤＲＡＭに貯えられるフィールド数“Ｍ”
１フィールドに６４ライン含む。
１ラインに１２８データ・サンプル（バイト）含む。
従って、１フィールドに  ６４  ｘ  １２８  ＝  ８１９２  バイト含む。
利用できるメモリ・セルの総数  ＝  ３３５５４４３２  バイト
ＤＲＡＭに貯えられるフィールド“Ｍ”＝  ３３４４５５３２／８１９２
＝  ４０９６  フィールド
このフィールド数は：（４０９６  ｘ  Ｔｆｉｅｌｄ）秒
＝  ４０９６  ｘ  ２０ｍｓ  ＝  ８１．９２秒  ＝  １．３６５分
この時間は、蓄積時間Ｔｓｔｏｒｅと称される。
即ち、Ｔｓｔｏｒｅ  ＝  ８１．９２  秒  ＝  １．３６５  分
実際には、Ｔｓｔｏｒｅは｛（４０９６／Ｆ）ｘＴｆｉｅｌｄ｝秒で、視聴者が見直すことのできるビデオ情報を表しており、ここでは情報時間  Ｔｉｎｆｏと称される。
即ち、Ｔｉｎｆｏ＝４０９６ｘ２ｘ２０ｍｓ＝１６３．８４秒＝２．７３０７分
３．再生時間Ｔｐｌａｙｂａｃｋは以下のようにして計算することができる：
（ａ）貯えられた４０９６フィールドを読み出している間、新しい２０４８フィールドを貯えなければならない、（４０９６ｘＦ）
（ｂ）（ａ）で貯えられた２０４８フィールドを読み出している間、新しい１０２４フィールドを貯えなければならない。
（ｃ）（ｂ）で貯えられた１０２４フィールドを読み出している間、新しい５１２フィールドを貯えなければならない。
（ｄ）（ｃ）で貯えられた５１２フィールドを読み出している間、新しい２５６フィールドを貯えなければならない、など
これらフィールドの合計  ＝  ４０９６＋２０４８＋１０２４＋５１２＋  ．．．．＋８＋４＋２＋１＋０．５＋０．２５＋  ．．．
これは、過去と現在のフィールドが一致するまでに貯えられなければならないフィールドの総数を表す。
この合計は数学的な級数で、「幾何学的級数」として知られ、その総計は：
４０９６／（１‐１／２）  ＝  ４０９６  ｘ  ２  ＝  ８１９２フィールド
従って、Ｔｐｌａｙｂｃｋ  ＝  ８１９２  ｘ  ２０ｍｓ  ＝  ２．７３０７分
一般に、Ｔｐｌａｙｂａｃｋ  ＝  Ｍ／（１‐Ｆ）  ｘ  Ｔｆｉｅｌｄ
［オーディオ信号の処理］
Ｔｉｎｆｏ  ＝  １６３．８４秒
毎秒のサンプル数  ＝  ２２０００サンプル
サンプル総数  ＝  ２２０００  ｘ  １６３．８４  ＝  ３６０４４８０バイト圧縮率  Ｆ  ＝  １／２
貯えられるデータの総数＝３６０４４８０／２  ＝  １．８０２２４０Ｍバイト
従って、オーディオ信号を貯えるのに、２ＭＢのＤＲＡＭで十分である。
【図１】
2010148145.tif 000003
【図２】
2010148145.tif 000004
【図３】
2010148145.tif 000005
【図４】
2010148145.tif 000006
【図５】
2010148145.tif 000007
【図６】
2010148145.tif 000008
【図７】
2010148145.tif 000009